(57)【特許請求の範囲】
【請求項１】
撮影対象からの光を画像データに変換する撮像部と、
前記画像データに基づく画像を表示可能な表示部と、
撮像部による撮影範囲を確認するビューファインダーとを備えるデジタルカメラであって、
主に前記ビューファインダーを用いて撮影を行う第１の撮影モードで作動させる手段と、
主に前記表示部を用いて撮影を行う第２の撮影モードで作動させる手段と、
前記第１のモードで作動中に使用者が設定可能な項目を、前記第１のモードでないモードで作動中に変更する手段と、
前記第２のモードで作動中に使用者が設定可能な項目を、前記第２のモードでないモードで作動中に変更する手段と、
を備えることを特徴とするデジタルカメラ。
【請求項２】
前記第１の撮影モードで作動中に前記表示部が作動するモードを有することを特徴とする請求項１に記載のデジタルカメラ。
【請求項３】
撮影対象からの光を画像データに変換する撮像部と、
前記画像データに基づく画像を表示可能な表示部と、
撮像部による撮影範囲を確認するビューファインダーとを備えるデジタルカメラであって、
前記表示部に被写体を動画表示せずに撮影を行う第１の撮影モードで作動させる手段と、
前記表示部に被写体を動画表示して撮影を行う第２の撮影モードで作動させる手段と、
前記第１のモードで作動中に使用者が設定可能な項目を、前記第１のモードでないモードで作動中に変更する手段と、
前記第２のモードで作動中に使用者が設定可能な項目を、前記第２のモードでないモードで作動中に変更する手段と、
を備えることを特徴とするデジタルカメラ。
【請求項４】
前記第２の撮影モードは、自動焦点での撮影モードと手動焦点での撮影モードとを切り替え可能であることを特徴とする請求項１、２または３のいずれかに記載のデジタルカメラ。
【請求項５】
前記自動焦点での撮影モードにおいて一時的に手動焦点で撮影する手段を有することを特徴とする請求項４記載のデジタルカメラ。
【請求項６】
前記手動焦点での撮影モードにおいて一時的に自動焦点で撮影する手段を有することを特徴とする請求項４または５のいずれかに記載のデジタルカメラ。
【請求項７】
前記第２の撮影モードは、自動露光での撮影と手動露光での撮影とを切り替え可能であることを特徴とする請求項１〜４のいずれか一項に記載のデジタルカメラ。
【請求項８】
前記自動露光での撮影モードにおいて一時的に手動露光で撮影する手段を有することを特徴とする請求項７記載のデジタルカメラ。
【請求項９】
前記手動露光での撮影モードにおいて一時的に自動露光で撮影する手段を有することを特徴とする請求項７または８のいずれかに記載のデジタルカメラ。
【発明の詳細な説明】
【０００１】
【発明の属する技術分野】
本発明は、撮影対象からの光をデジタルデータに変換して記憶するデジタルカメラに関するものである。
【０００２】
【従来の技術】
従来より、ＣＣＤ等の光センサにより光を電気信号に変換し、その電気信号をデジタルデータに変換してフラッシュメモリ等の記憶媒体に記憶するデジタルカメラが知られている。デジタルカメラでは、パーソナルコンピュータ等を用いて画像データの保存や様々な加工を個人で手軽に行えるほか、プリンタに画像データを出力することによりフィルムの現像をすることなく写真を印刷することができる。また、プリンタの印刷品質の向上により、銀塩写真とほとんど区別がつかないほど、品質の高い写真も印刷できるようになってきている。
【０００３】
液晶表示装置（ＬＣＤ）などの表示部を備えたデジタルカメラでは、表示部に撮影対象の画像を表示させながら撮影を行ったり、その場で撮影済の画像を確認したりすることができる。ＬＣＤなどの表示部は消費電力が大きく、デジタルカメラの作動可能時間が短くなるため、表示部とは別に光学ファインダーなどのビューファインダーを有し、表示部を使用せずに撮影を行うこともできるデジタルカメラが知られている。
【０００４】
【発明が解決しようとする課題】
上記のようなデジタルカメラは、多くの機能をもつようになり、上級者にとっては、操作が複雑になっても好みによって多くの項目を設定できることが望まれている。それと同時に、初心者が特に設定することなく、ただシャッターを押すだけで撮影できることも望まれており、１台のデジタルカメラで両方を満たすのは困難であった。そのため、初心者と上級者は別々のデジタルカメラを使用するのが一般的であり、不便であった。また、初心者であっても上達するに従って初心者向けのデジタルカメラの機能に不満が生じ、買い換えることになるという問題があった。
【０００５】
本発明は上記の問題を解決するためになされたものであり、１台で初心者から上級者まで、使用者のレベルに応じて適切な操作方法で使用できるデジタルカメラを提供することにある。
【０００６】
【課題を解決するための手段】
本発明の請求項１記載のデジタルカメラは、撮影対象からの光を画像データに変換する撮像部と、前記画像データに基づく画像を表示可能な表示部と、
撮像部による撮影範囲を確認するビューファインダーとを備えるデジタルカメラであって、主に前記ビューファインダーを用いて撮影を行う第１の撮影モードで作動させる手段と、主に前記表示部を用いて撮影を行う第２の撮影モードで作動させる手段と、前記第１のモードで作動中に使用者が設定可能な項目を、前記第１のモードでないモードで作動中に変更する手段と、前記第２のモードで作動中に使用者が設定可能な項目を、前記第２のモードでないモードで作動中に変更する手段と、を備える。そのため、簡単な操作で２通りの使い方ができるデジタルカメラのそれぞれのモードにおいて、使用者の用途に応じた使い勝手を実現することができる。
【０００７】
本発明の請求項２記載のデジタルカメラによれば、前記第１の撮影モードで作動中に前記表示部が作動するモードを有する。そのため、主にビューファインダーを用いて撮影を行う第１のモードで、必要な時のみ表示部を作動させて撮影対象の画像や設定情報を表示することができる。
本発明の請求項３記載のデジタルカメラは、撮影対象からの光を画像データに変換する撮像部と、前記画像データに基づく画像を表示可能な表示部と、撮像部による撮影範囲を確認するビューファインダーとを備えるデジタルカメラであって、前記表示部に被写体を動画表示せずに撮影を行う第１の撮影モードで作動させる手段と、前記表示部に被写体を動画表示して撮影を行う第２の撮影モードで作動させる手段と、前記第１のモードで作動中に使用者が設定可能な項目を、前記第１のモードでないモードで作動中に変更する手段と、前記第２のモードで作動中に使用者が設定可能な項目を、前記第２のモードでないモードで作動中に変更する手段と、を備える。そのため、簡単な操作で２通りの使い方ができるデジタルカメラのそれぞれのモードにおいて、使用者の用途に応じた使い勝手を実現することができる。
【０００８】
本発明の請求項４記載のデジタルカメラによれば、第２の撮影モードは、自動焦点での撮影モードと手動焦点での撮影モードとを切り替え可能である。そのため、初心者には簡単な操作で、上級者には高度な撮影を行うことができる。
【０００９】
本発明の請求項５記載のデジタルカメラによれば、自動焦点での撮影モードで、一時的に手動焦点での撮影を行うことができる。
【００１０】
本発明の請求項６記載のデジタルカメラによれば、手動焦点での撮影モードで、一時的に自動焦点での撮影を行うことができる。
【００１１】
本発明の請求項７記載のデジタルカメラによれば、第２の撮影モードは、自動露光での撮影と手動露光での撮影とを切り替え可能である。そのため、初心者には簡単な操作で、上級者は高度な撮影を行うことができる。
【００１２】
本発明の請求項８記載のデジタルカメラによれば、自動露光での撮影モードで、一時的に手動露光での撮影を行うことができる。
【００１３】
本発明の請求項９記載のデジタルカメラによれば、手動露光での撮影モードで、一時的に自動露光での撮影を行うことができる。
【００１４】
【発明の実施の形態】
以下、本発明の実施例を図面に基づいて詳細に説明する。
図３は本発明の一実施例のデジタルカメラ１０の構造を説明するためのブロック図である。デジタルカメラ１０は、制御部１１、集光レンズ１２、撮像部としてのＣＣＤ（Charge Coupled Device ）１３、Ａ／Ｄ変換器１４、画像データを一時的に記録するＲＡＭ（Random Access Memory）１５、圧縮された画像データを記録可能なメモリカード１６、メモリカード１６が着脱可能なカードスロット２０、画像を表示する液晶表示装置（ＬＣＤ）２１、ＬＣＤ２１に表示される画像のためのデータが格納されるＶＲＡＭ１８、メモリカード１６内のデータを外部機器に出力するためのインターフェイス１９などから構成される。
【００１５】
制御部１１はＣＰＵと、データの入出力手段とを備え、制御プログラムを実行することにより、デジタルカメラ１０の様々な制御を行う。集光レンズ１２には集光レンズ１２に入力される光量を調節するための絞り１２１が設けられている。ＣＣＤ１３として、Ｃ（Cyan）、Ｍ（Magenta ）、Ｙ（Yellow）、Ｇ（Green ）の補色フィルタを有する複数の撮像素子がマトリックス状に配置されたＣＣＤ１３を用いることにより、カラー画像を撮影することができる。補色フィルタは、Ｃ、Ｍ、Ｙの３色の場合もある。Ｒ（Red ）、Ｇ（Green ）、Ｂ（Blue）の原色フィルタを有するＣＣＤを用いる場合もある。ＲＡＭ１５としてはセルフリフレッシュ機能をもつＳ−ＤＲＡＭ（Synchronous Dynamic RAM）が用いられる。
【００１６】
メモリカード１６は、通電しなくても記録内容を保持することのできる書換え可能な記憶媒体であるフラッシュメモリなどに画像データが記録され、デジタルカメラ１０のカードスロット２０に着脱自在に装着されている。メモリカード１６として例えばＰＣＭＣＩＡ規格に準拠したメモリカード、またはＰＣＭＣＩＡカードアダプタに取付け可能なメモリカードを用いることにより、ＰＣＭＣＩＡカード用スロットを有するパーソナルコンピュータでメモリカード１６の内容を直接読み書きすることができる。
【００１７】
図１、図２は本実施例のデジタルカメラ１０を示す背面図および平面図である。デジタルカメラ１０は、使用者がＬＣＤ２１またはビューファインダーとしての光学ファインダー１１０により撮影範囲を決定し、シャッターボタン１０１を押すことにより撮影が行われる。制御部１１は、シャッターボタン１０１を可動範囲の途中まで押した「半押し」と、可動範囲の限界あるいは限界近傍まで押した「全押し」を区別して認識することができる。使用者は、デジタルカメラの作動モードを切り替えるモード切り替えダイヤル１０２により第１の撮影モードとしての「ビューファインダーモード」、第２の撮影モードとしての「ＬＣＤモード」、「Ｏｆｆ」、「プレイバックモード」、「ダイレクトプリントモード」、「セットアップモード」の６つのモード中からいずれか１つを選択する。
【００１８】
「ビューファインダーモード」は、デジタルカメラ１０の消費電力を節約するために、主に光学ファインダー１１０を用いて撮影を行うモードである。「ＬＣＤモード」は、主にＬＣＤ２１をファインダーとして用いて撮影を行うモードである。「プレイバックモード」は、すでに撮影され、メモリカード１６に記録された画像データに基づく画像を表示するモードである。「ダイレクトプリントモード」は、デジタルカメラ１０を外部のプリンタにインターフェイスを介して接続し、画像を印刷するためのモードである。「セットアップモード」は、デジタルカメラ１０の撮影条件などの各種設定を行うモードである。モード切り替えダイヤル１０２が「Ｏｆｆ」の位置にセットされた時は、デジタルカメラ１０の電源はオフになる。
【００１９】
ＬＣＤ２１の周囲には、入力手段としての入力キー１０３〜１０９が設けられている。制御部１０は、選択されたモードに応じた制御プログラムを実行する。そして、使用者によるシャッターボタン１０１や入力キー１０３〜１０９の入力を検出し、それに対応した制御を行う。また、デジタルカメラ１０の上部には、画質選択ボタン１１１、ストロボ選択ボタン１１２、モード選択ボタン１１３が設けられている。画質選択ボタン１１１を押すと、画像データの圧縮率や画素数を変更することにより、記録画質が変更される。ストロボ選択ボタン１１２を押すと、ストロボの発光モードを自動発光、常に発光、常に発光しないの中から選択できる。モード選択ボタン１１３を押すと、通常の撮影モード、近接撮影モード、、拡大撮影モード、パノラマ撮影モードなどの切り替えができる。各選択ボタン１１１、１１２、１１３により設定される内容は、セグメント式のＬＣＤ１１４に表示される。
【００２０】
次に、本実施例のデジタルカメラ１０の動作を説明する。
モード切り替えダイヤル１０２を「Ｓｅｔｕｐ」の位置にセットすると、デジタルカメラ１０は、セットアップモードとなり、ＬＣＤ２１に図４の（Ａ）に示すようなデジタルカメラ１０に関する複数の設定情報が表示される。
【００２１】
ＬＣＤ２１の日付・時刻が表示される位置の近傍に設けられた入力キー１０３を押すと、ＬＣＤ２１の表示は図４の（Ｂ）に示すように切り替わり、日付および時刻の修正を行うことができる。入力キー１０８、１０９で修正する項目を選択し、入力キー１０４、１０５で数値を増減させる。入力キー１０３または１０７を押すと図４の（Ａ）に示す画面に戻る。
【００２２】
図４の（Ａ）に示す画面が表示された状態で、ビューファインダーモードに関する設定が表示される位置の近傍に設けられた入力キー１０４を押すと、図４の（Ｃ）に示す画面になり、ビューファインダーモードの設定が「カスタム」から「自動」に切り替わる。もう一度入力キー１０４を押すと、図４の（Ａ）に示す画面になり、ビューファインダーモードの設定が「自動」から「カスタム」に切り替わる。すなわち、入力キー１０４を押す毎にビューファインダーモードの設定は、「カスタム」と「自動」とが交互に切り替わる。
【００２３】
図４の（Ａ）に示す画面が表示された状態で、ＬＣＤモードに関する設定が表示される位置の近傍に設けられた入力キー１０５を押した場合も同様に、入力キー１０５を押す毎にＬＣＤモードの設定は、図４の（Ａ）に示す「ＭＥ／ＭＦ」と図５の（Ｄ）に示す「ＡＥ／ＡＦ」とが交互に切り替わる。「ＭＥ／ＭＦ」モードは、使用者がマニュアルで露光や焦点を設定するモードであり、「ＡＥ／ＡＦ」モードは制御部１１が自動的に露光や焦点を設定するモードである。「ＡＥ／ＡＦ」モードを選択した状態で、入力キー１０６を押すことにより、入力キー１０６の近傍に表示される文字が「フルオート」、「優先撮影」、「一時的マニュアル撮影可」の３種類で循環して切り替わり、ＡＥ／ＡＦモードの中でのより細かい設定を行うことができる。
【００２４】
図４の（Ａ）に示す画面が表示された状態で、「他の設定」の文字が表示される位置の近傍に設けられた入力キー１０７を押すと、図５の（Ｅ）に示す画面に切り替わり、別の設定情報が表示される。この画面では、入力キー１０３を押すことにより、省エネルギー設定のあり、なしを選択する。入力キー１０４、１０５を押すことにより、露光の補正を行う。入力キー１０６を押すことにより、ＬＣＤに表示される文字の言語を選択する。入力キー１０８を押すことにより、撮影時に録音を行うか行わないかを選択する。入力キー１０９を押すことにより、シャッターボタン１０１を押したときに、電子合成のシャッター音を発生させるかどうかを選択する。入力キー１０７を押すと、図４の（Ａ）に示す設定画面に戻る。
【００２５】
モード切り替えダイヤル１０２を「Ｐｌａｙ」の位置にセットすると、プレイバックモードとなり、ＬＣＤ２１にメモリカード１６内の画像データに基づいた撮影済の画像が表示される。また、撮影済み画像の上に重ねて、図６の（Ｆ）に示すようなメニュー画面が表示される。メニュー画面の表示・非表示は、入力キー１０７を押すことにより切り替えることができる。
【００２６】
図６の（Ｆ）に示す画面が表示された状態で入力キー１０３を押すと、「マニュアル再生モード」から図６の（Ｇ）に示す「スライド再生モード」に切り替わる。図６の（Ｇ）に示す画面が表示された状態で入力キー１０３を押すと、「スライド再生モード」から「拡大・スクロール再生モード」に切り替わる。図６の（Ｈ）に示す画面が表示された状態で、入力キー１０３を押すと、「拡大・スクロール再生モード」から「マニュアル再生モード」に切り替わる。
【００２７】
図６の（Ｆ）に示す「マニュアル再生モード」では、メモリカード１６に記録されている画像の枚数と、その中で現在何枚目がＬＣＤ２１に表示されているかが例えば「１２／３２」という形で表示される。入力キー１０４を押すと、メモリカード１６内の格納順で直前の画像が表示され、入力キー１０５を押すと次の画像が表示される。入力キー１０６を押すと、誤って画像データを削除するのを防ぐため画像データにロックをかけることができる。もう一度入力キー１０６を押すとロックは解除される。入力キー１０８を押すと、ＬＣＤ２１の１画面に表示する画像の数を選択できる。例えば、入力キー１０８を押す毎に、１画像、２×２の４画像、３×３の９画像の表示が循環して切り替わる。入力キー１０９を押すと、画像データを削除することができる。削除前には本当に削除してもよいか、確認画面が表示される。
【００２８】
図６の（Ｇ）に示す「スライド再生モード」では、入力キー１０６を押すことによりスライド再生を開始し、複数の画像を連続して表示することができる。デジタルカメラ１０をテレビなどに接続してプレゼンテーションなどを行うのに好適である。入力キー１０４を押すことにより、１つの画像を何秒間表示するかを設定することができる。入力キー１０５を押すことにより、スライド再生により表示される画像を選択することができる。入力キー１０８を押すことにより、再生の順番を順方向と逆方向とで切り替えることができる。入力キー１０９を押すことにより、日付・時刻などの撮影情報の表示・非表示を切り替えることができる。
【００２９】
図６の（Ｈ）に示す「拡大・スクロールモード」では、画像を４×４の領域に分割する線が表示され、そのうち２×２の領域を囲む選択枠が表示される。入力キー１０４、１０５、１０８、１０９を押すことにより、選択枠に囲まれる領域を移動させ、入力キー１０６を押すことにより、選択された領域をＬＣＤ２１の画面いっぱいに拡大表示させることができる。
【００３０】
モード切り替えダイヤル１０２が「ＳＨ１」の位置にセットされると、第１の撮影モードとしてのビューファインダーモードになる。
セットアップモードで、ビューファインダーモードの設定が「自動」になっているときは、ＬＣＤ２１には通電されず、ＬＣＤ２１は非表示の状態である。通常はＣＣＤ１３に通電されない状態であり、使用者がシャッターボタン１０１を半押した段階でＣＣＤ１３の作動が開始し、制御部１１により露光の設定、焦点の設定、ホワイトバランスの設定などが自動的に行われる。露光は、シャッタースピードと絞りによって決定される。使用者は光学ファインダー１１０を用いて撮影範囲を決定する。ただし、モード切り替えボタン１１３により、近接撮影モード、拡大撮影モード、パノラマ撮影モードのいずれかが選択されている場合は、撮影範囲を正確に確認できることが望ましいので、数分の１秒〜数十分の１秒毎に集光レンズ１２によりＣＣＤ１３に集光された光が電気信号に変換され、デジタルの画像データに変換されてＶＲＡＭ１８に転送され、ＬＣＤ２１に撮影対象が動画として表示される。
【００３１】
セットアップモードで、ビューファインダーモードの設定が「カスタム」になっているときは、ＬＣＤ２１に図７の（Ｉ）に示す画面が表示される。初期状態では、ホワイトバランスは自動設定となっている。ホワイトバランスに関する設定が表示された位置近傍の入力キー１０４を押すと、図７の（Ｊ）に示す画面に切り替わり、前回カスタム設定したホワイトバランスの設定が使用される。この画面が表示された状態で入力キー１０４を押すと、図７の（Ｋ）に示す画面に示す画面に切り替わる。「ＮＯ」が表示された位置近傍の入力キー１０５を押すと、図７の（Ｊ）に示す画面に戻る。ここで再び入力キー１０４を押すと、図７の（Ｉ）に示す画面に切り替わり、ホワイトバランスが自動設定になる。図７の（Ｋ）に示す画面が表示された状態で、「ＹＥＳ」が表示された位置近傍の入力キー１０６を押すと、使用者がホワイトバランスをカスタム設定することができる画面に切り替わる。
【００３２】
図７の（Ｉ）に示す画面が表示された状態では、ストロボの発光は自動設定に固定されており、ストロボ選択ボタン１１２を押してもストロボの発光モードは変更されない。ストロボに関する設定が表示された位置近傍の入力キー１０５を押すと、図８の（Ｌ）に示す画面に切り替わりストロボの発光モードが変更可能になる。
【００３３】
入力キー１０６の近傍には、露光補正の設定が表示されている。入力キー１０６を押すことにより、図８の（Ｍ）に示す画面に切り替わり、入力キー１０４、１０５を押すことにより、制御部１１が自動的に決定する露光からどれだけ変更するかを決定することができる。入力キー１０７を押すと、元の画面に戻る。
【００３４】
また、入力キー１０８を押すことにより、画像をカラーで記録するか白黒で記録するかを選択することができ、入力キー１０９を押すことにより、標準感度で撮影するか高感度で撮影するかを選択することができる。
【００３５】
使用者がデジタルカメラ１０のシャッターボタン１０１を半押しすると、ＣＣＤ１３が認識する画像に適切な露光やフォーカスが設定され、シャッターボタン１０１が半押しの間露光やフォーカスが固定される。
【００３６】
近接撮影モード、拡大撮影モード、パノラマ撮影モードのいずれかが選択されている場合は、「自動」の場合と同様に、数分の１秒〜数十分の１秒毎に集光レンズ１２によりＣＣＤ１３に集光された光が電気信号に変換され、デジタルの画像データに変換されてＶＲＡＭ１８に転送され、ＬＣＤ２１に撮影対象が動画として表示され、図７、図８に示すメニュー画面は動画の上に重ねて表示される。
【００３７】
使用者がシャッターボタン１０１を全押しすると、撮影が開始され画像データの作成が行われる。
まず、ＣＣＤ１３に蓄積された電荷が一旦すべて放電され、その後集光レンズ１２により集光された光がＣＣＤ１３に入力される。ＣＣＤ１３では光が光量に応じた電荷に変換される。ＣＣＤ１３から出力された電気信号は、Ａ／Ｄ変換器１４によりデジタル信号に変換される。Ａ／Ｄ変換器１４から出力されるデジタルデータは高速化のためＤＭＡ（Direct Memory Access）により制御部１１を介さずに直接ＲＡＭ１５のアドレスを指定して転送される。
【００３８】
ＣＣＤ１３から転送されたデータは、１画素について１色相当の情報しかもたないため、ＲＡＭ１５に記録されたデータについて周囲の画素の色情報を基に色補間を行い、例えば１２８０×９６０ピクセルの各画素について色情報をもつ画像データを作成する。
【００３９】
次に、メモリカード１６への記録枚数を多くするためにＪＰＥＧ（Joint Photographic Experts Group）の規格による非可逆圧縮方式により圧縮し、容量の小さな圧縮データを生成する。ＪＰＥＧは一般に用いられるカラー画像の圧縮方法であり、圧縮率を変更することにより保存画質を調整することができる。ＪＰＥＧ圧縮は、制御部１１によってソフトウェア的に行うほか、高速化のために専用の回路を用いることができる。ＪＰＥＧ圧縮された圧縮データは、メモリカード１６に記録される。
【００４０】
モード切り替えダイヤル１０２が「ＳＨ２」の位置にセットされたときは、第２の撮影モードとしてのＬＣＤモードとなり、ＬＣＤ２１に撮影対象が動画として表示される。
セットアップモードで「ＡＥ／ＡＦ」が選択されている場合は、図９の（Ｎ）に示すような画面がＬＣＤ２１の動画の上に重ねて表示される。
【００４１】
図９の（Ｎ）に示す画面では、拡大撮影モードに設定されており、拡大倍率が表示される位置近傍の入力キー１０３を押す毎に、拡大倍率の表示が例えば、「×１．２５」、「×１．６」、「×２．０」の３つが循環して切り替わり、拡大倍率を設定することができる。ＬＣＤ２１には拡大率に対応した撮影範囲の動画が表示される。
【００４２】
また、図９の（Ｎ）に示す画面が表示された状態で入力キー１０５を押すことにより、図９の（Ｏ）に示す画面が表示され、ＡＥ／ＡＦの測光モードがスポット測光モードから中央重点測光モードに切り替わる。図９の（Ｏ）に示す画面が表示された状態で、入力キー１０５を押すことにより、中央重点測光モードからスポット測光モードに切り替わる。
【００４３】
入力キー１０４、１０６、１０８、１０９を押したときの動作は、前述したビューファインダーモードで「カスタム」が選択されている場合と同様である。
セットアップモードで、「ＭＥ／ＭＦ」が選択されている場合は、図１０の（Ｐ）に示すような画面がＬＣＤ２１の動画の上に重ねて表示される。
【００４４】
デジタルカメラ１０の焦点距離が表示される位置近傍の入力キー１０４、１０５を押すことにより、焦点距離を使用者がマニュアルで変更することができる。そのため、わざとピントをずらすことや、手前にピントが合っているいわゆる「前ピン」あるいは後にピントが合っている「後ピン」で撮影することができる。
【００４５】
シャッタースピードが表示される位置近傍に設けられた入力キー１０８を押すと、シャッタースピードを例えば１／２、１／３０、１／１２５および１／７５０の中から選択することができる。それに加え、図１０の（Ｑ）に示すように、設定した絞りに固定したときに適切なシャッタースピードとなるように制御部１１が決定する、絞り優先のシャッタースピードを選択することもできる。
【００４６】
絞りが表示される位置近傍に設けられた入力キー１０６を押すと、絞りを例えば、Ｆ２．４、Ｆ８、Ｆ１６の中から選択することができる。それに加え、図１０の（Ｒ）に示すように、設定したシャッタースピードに固定したときに適切な絞りとなるように制御部１１が決定する、シャッタースピード優先の絞りを選択することもできる。絞り優先のシャッタースピードを選択し、かつシャッタースピード優先の絞りを選択すると、両者は「ＡＥ」の表示となり、自動露光になる。
【００４７】
ＡＥ／ＡＦモードであっても、セットアップモードで、「優先撮影」が選択されている場合は、入力キー１０７を３秒間続けて押すことにより、図１０の（Ｑ）、（Ｒ）とほぼ同様の画面を表示して、一時的に絞り優先またはシャッタースピード優先の露光で撮影することができる。また、セットアップモードで、「一時的マニュアル撮影可」が選択されている場合は、入力キー１０７を３秒間続けて押すことにより、図１０の（Ｐ）とほぼ同様の画面を表示して、一時的に「ＭＥ／ＭＦ」モードと同様の操作で撮影することが可能になる。一時的に変更した撮影モードで再び入力キー１０７を押すと、ＡＥ／ＡＦモードに戻る。なお、セットアップモードで、「フルオート」が選択されている場合は、図９に示す画面で「ＡＥ／ＡＦ  ３秒」の表示はされず、切り替えることもできないようになる。そのため、フルオートに設定しておけば、誤ってマニュアル撮影モードになって使用者が混乱することがない。
同様に、ＭＥ／ＭＦモードであっても、入力キー１０７を３秒間続けて押すことにより、一時的にＡＥ／ＡＦモードとすることもできる。
【００４８】
使用者がシャッターボタン１０１を全押しすると、撮影が開始されビューファインダーモードと同様の手順で画像データの作成が行われ、ＪＰＥＧ圧縮された圧縮データはメモリカード１６に記録される。画像データがメモリカード１６に記録開始されてから完了するまでには数秒から十数秒の時間がかかる場合があるが、その間ＬＣＤ２１には画像データに基づいた画像が表示され続ける。
【００４９】
モード切り替えダイヤル１０２が「ＤＰ」の位置にセットされると、ダイレクトプリントモードになる。デジタルカメラ１０を外部のプリンタに接続し、使用者が入力キー１０３〜１０９を操作することにより、撮影済みの画像を選択して印刷することができる。
【００５０】
以上、実施例によって説明したように、本実施例のデジタルカメラによれば、ビューファインダーモードの設定で「自動」を選択すれば、シャッターボタン１０１を押すだけで露光や焦点が自動的に適切に設定され、通常のレンズ付きフィルムと同様の操作で撮影できるため、操作が簡単で初心者に使い易い。また、ビューファインダーモードの設定で「カスタム」を選択すれば、ホワイトバランスの設定や自動露光に対する露光の補正を行うことができ、使用者の好みに合った撮影が可能になる。また、ＬＣＤモードの設定で「ＡＥ／ＡＦ」を選択すれば、ＬＣＤ２１の表示を確認しながら、自動焦点、自動露光で撮影を行うことができる。ＬＣＤモードの設定で「ＭＥ／ＭＦ」を選択すれば、わざと焦点や露光を適切な値からずらして、高度な撮影を行うことができる。そのため、初心者から上級者まで使用者のレベルに応じた操作方法でデジタルカメラ１０を使用することができる。
【００５１】
上述の実施例では、ビューファインダーとして光学ファインダーを用いたが、小型のＬＣＤを用いたビューファインダーであってもよい。また、本実施例では、第１の撮影モードとしてのビューファインダーモードと、第２の撮影モードとしてのＬＣＤモードとを切り替えて撮影を行うことができるデジタルカメラについて説明したが、本発明としては、さらに第３の撮影モードなど複数の撮影モードを備えていてもよい。
【図面の簡単な説明】
【図１】本発明の一実施例によるデジタルカメラを示す平面図である。
【図２】本発明の一実施例によるデジタルカメラを示す背面図である。
【図３】本発明の一実施例によるデジタルカメラを示すブロック図である。
【図４】本発明の一実施例によるデジタルカメラの入力キーと、セットアップモードにおいてＬＣＤに表示される画面を示す図である。
【図５】本発明の一実施例によるデジタルカメラの入力キーと、セットアップモードにおいてＬＣＤに表示される画面を示す図である。
【図６】本発明の一実施例によるデジタルカメラの入力キーと、プレイバックモードにおいてＬＣＤに表示される画面を示す図である。
【図７】本発明の一実施例によるデジタルカメラの入力キーと、ビューファインダーモードにおいてＬＣＤに表示される画面を示す図である。
【図８】本発明の一実施例によるデジタルカメラの入力キーと、ビューファインダーモードにおいてＬＣＤに表示される画面を示す図である。
【図９】本発明の一実施例によるデジタルカメラの入力キーと、ＬＣＤモードにおいてＬＣＤに表示される画面を示す図である。
【図１０】本発明の一実施例によるデジタルカメラの入力キーと、ＬＣＤモードにおいてＬＣＤに表示される画面を示す図である。
【符号の説明】
１０    デジタルカメラ
１１    制御部
１２    集光レンズ
１２１    絞り
１３    ＣＣＤ（撮像手段）
１４    Ａ／Ｄ変換器
１５    ＲＡＭ
１６    メモリカード（記憶媒体）
１７    内蔵フラッシュメモリ（記憶装置）
１８    ＶＲＡＭ
１９    インターフェイス
２０    カードスロット
２１    液晶表示装置（ＬＣＤ）
１０１    シャッターボタン
【図１】
0003641972.tif 000002
【図２】
0003641972.tif 000003
【図３】
0003641972.tif 000004
【図４】
0003641972.tif 000005
【図５】
0003641972.tif 000006
【図６】
0003641972.tif 000007
【図７】
0003641972.tif 000008
【図８】
0003641972.tif 000009
【図９】
0003641972.tif 000010
【図１０】
0003641972.tif 000011